(57)【要約】【課題】大幅なコストアップを伴うことなく、外面に傷や汚れなどがついても美観の低下を抑制することができる段ボール箱を提供する。【解決手段】断面波形状の中芯２と、中芯２の表面に接着される表ライナー３と、中芯２の裏面に接着される裏ライナー４とを備える段ボール原紙で構成された段ボール箱１であって、中芯２と表ライナー３とは、互いに接着されていない、非接着部８を備え、該非接着部８に対応させて、破断予定線７が表ライナー３に設けられ、前記非接着部８に対応させて、中芯２の表面に印刷が施される。【選択図】図１
2014030992.tif 000002
【特許請求の範囲】
【請求項１】
断面波形状の中芯と、中芯の表面に接着される表ライナーと、中芯の裏面に接着される裏ライナーとを備える段ボール原紙で構成された段ボール板紙であって、
中芯と表ライナーとは、互いに接着されていない非接着の、又は剥離可能に接着された非接着部を備え、
該非接着部に対応させて、破断予定線が表ライナーに設けられ、
前記非接着部に対応させて、前記中芯の表面に印刷が施されることを特徴とする段ボール板紙。
【請求項２】
請求項１記載の段ボール板紙であって、
前記非接着部は、中芯に撥水ニスを塗布し、撥水ニスを塗布した部分に接着剤が浸透しないようにすることを特徴とする段ボール板紙。
【請求項３】
請求項１または請求項２記載の段ボール板紙を折り曲げて組み立てられることを特徴とする段ボール箱。
【発明の詳細な説明】
【技術分野】
【０００１】
本発明は、段ボール箱及び段ボール板紙に関する。
【背景技術】
【０００２】
従来、荷物の運搬などに用いられる段ボール箱が知られている（例えば、特許文献１参照）。特許文献１の段ボール箱は、断面波形状の中芯をライナーで挟み込んで構成される段ボール原紙を折り曲げて形成される。
【先行技術文献】
【特許文献】
【０００３】
【特許文献１】特開２０１２−７６７９９号公報
【発明の概要】
【発明が解決しようとする課題】
【０００４】
従来の段ボール箱は、搬送中などに傷や汚れが付き易く、段ボール箱の美観が損なわれる虞がある。店頭などで段ボール箱から商品を取り出して陳列する場合には何ら問題はないが、搬送に用いた段ボール箱をそのまま利用して陳列する場合には、段ボール箱の美観が損なわれると大きな問題となる。
【０００５】
そこで、段ボール箱の外面を保護シートで覆い、段ボール箱ごと商品を陳列する際には、傷が付いた保護シートを剥がすことも考えられる。しかしながら、これでは段ボール箱の製造コストが大幅にアップしてしまう。
【０００６】
また、広告等が印刷された段ボール板紙を商品棚の上部後側に立てて、購買意欲を向上させるように段ボール板紙を使用することも考えられる。この場合においても、段ボール板紙が長期間の設置に伴い印刷面の色あせや汚れなどによって美観が損なわれる虞がある。
【０００７】
本発明は、以上の点に鑑み、大幅なコストアップを伴うことなく、外面に傷や汚れなどがついても美観の低下を抑制することができる段ボール箱及び段ボール板紙を提供することを目的とする。
【課題を解決するための手段】
【０００８】
［１］上記目的を達成するため、本発明は、断面波形状の中芯と、中芯の表面に接着される表ライナーと、中芯の裏面に接着される裏ライナーとを備える段ボール原紙で構成された段ボール板紙であって、中芯と表ライナーとは、互いに接着されていない非接着の、又は剥離可能に接着された、非接着部を備え、該非接着部に対応させて、破断予定線が表ライナーに設けられ、前記非接着部に対応させて、前記中芯の表面に印刷が施されることを特徴とする。
【０００９】
本発明によれば、搬送中等に外面に傷や汚れがついても、表ライナーを破断予定線で破断することで、表ライナーの非接着部の傷や汚れを容易に除去することができる。
【００１０】
また、表ライナーの破断予定線の破断により中芯の非接着部の印刷が露出し、段ボール板紙の美観の低下を抑制することができる。
【００１１】
［２］また、本発明においては、非接着部は、中芯に撥水ニスを塗布し、撥水ニスを塗布した部分に接着剤が浸透しないようにすることが好ましい。本発明によれば、中芯の表面に印刷し、撥水ニスを塗布するだけで、従来と同様に段ボール箱を製造することができ、製造コストを抑えることができる。
【００１２】
［３］また、上記段ボール板紙を折り曲げて段ボール箱として用いることも可能である。
【図面の簡単な説明】
【００１３】
【図１】本発明の段ボール箱の実施形態を一部拡大して示す説明図。
【図２】本実施形態の段ボール箱の非接触部の中芯を露出させた状態を示す説明図。
【発明を実施するための形態】
【００１４】
図１及び図２に示すように、本発明の実施形態の段ボール箱１は、段ボール原紙から打ち抜いた段ボール板紙を折り畳んで構成された矩形状の段ボール箱１である。段ボール原紙は、断面波形状の中芯２と、中芯２の表面に接着される表ライナー３と、中芯２の裏面に接着される裏ライナー４とで構成される。
【００１５】
段ボール箱１は、４つの側板５と、各側板５の下端縁から延設され、段ボール箱１の底板を形成する４つの底フラップと、各側板５の上端縁から延設され、天板を形成する４つの天フラップ６とを備える。なお、図１では、天フラップ６の一部を拡大して示している。
【００１６】
４つの側板５には、横方向に延びる２つの破断予定線７が上下に間隔を存するように設けられている。この破断予定線７により、側板５の中央部分の破断予定線７に挟まれた中芯２と表ライナー３とが接着されていない非接着の（若しくは接着力が他の部分よりも弱く剥離可能に接着された）非接着部８の表ライナー３を破断することができる。側板５の中芯２の外面は、表ライナー３の非接着部８に対応させて商標や絵などが印刷されている。
【００１７】
次に、本実施形態の段ボール箱１の製造方法を説明する。段ボール箱１の組み立て前の段ボール板紙は、所謂コルゲートマシン（図示省略）を用いて製造される。まず、コルゲートマシンを使用する前に、段ボール板紙を打ち抜く前の段ボール原紙の中芯２の表面の非接着部８に印刷を施す。次に、中芯２の印刷が施された非接着部８に撥水ニスを塗布する。そして、コルゲートマシンを用いて、中芯２の裏面に裏ライナー４を接着し、中芯２の表面に表ライナー３を接着する。非接着部８に撥水ニスを塗布しているため、非接着部８に接着剤が浸透せず、非接着部８の部分だけ中芯２と表ライナー３とが接着されない状態となる。なお、非接着部８の表ライナー３をより剥がれ易くするように、非接着部８に塗布する接着剤の量を減少させてもよい。
【００１８】
そして、抜型により段ボール原紙から矩形状の段ボール板紙を打抜く。そして、非接着部８に対応させて、側板５の上下部分に横方向に延びるように半切刃を入れて破断予定線７を形成し、非接着部８の表ライナー３を剥がせるようにする。このとき、側板５の側縁などに位置させて上下方向にも破断予定線を形成すれば、非接着部８の表ライナー３を容易に剥がすことができる。そして、表ライナー３に印刷を施す。表ライナー３の印刷は、中芯２の印刷と同一でもよく、また異ならせてもよい。その後、段ボール板紙を組み立てて段ボール箱１が完成する。
【００１９】
本実施形態の段ボール箱１によれば、搬送中等に側板５の外面に傷や汚れがついても、表ライナー３を破断予定線７で破断することで、表ライナー３の非接着部８の傷や汚れを容易に除去することができる。
【００２０】
また、表ライナー３の破断予定線７の破断により中芯２の非接着部８の印刷が露出し、段ボール箱１の美観の低下を抑制することができる。また、中芯２は断面波形状であるため、印刷に立体感が得られ、段ボール箱１の美観を向上させることができる。
【００２１】
また、本実施形態の段ボール箱１は、非接着部８に撥水ニスを塗布し、非接着部８に対応させて破断予定線７を設ける以外、通常の段ボール箱１と同様に製造することができ、段ボール箱１の製造コストを抑えることができる。
【００２２】
なお、本実施形態においては、４つの側板５に破断予定線７を設けて、側板５の中芯２の非接着部８に印刷したものを説明したが、本発明の構成はこれに限らない。例えば、一部の側板だけに破断予定線を設けると共に、その側板の中芯に印刷してもよく、また、天フラップや底フラップに破断予定線を設けて、中芯に印刷してもよい。
【００２３】
また、本実施形態においては、破断予定線７として側板５の上下に夫々横方向に延びるものを説明したが、本発明の破断予定線はこれに限らず、抜型の刃物形状を変更することにより、任意の形状に設定可能である。
【００２４】
また、本実施形態においては、非接着部８の中芯２の印刷に撥水ニスを塗布しているが、本発明の非接着部はこれに限らず、表ライナーが中芯から剥離できるように構成されていればよい。
【００２５】
また、本実施形態においては、段ボール箱を用いて説明したが、本発明は段ボール箱に限らず、段ボール板紙であっても本発明の効果を奏することができる。この場合、段ボール板紙は、例えば、段ボール板紙に広告等を印刷し、この段ボール板紙を商品棚の上部後側に立てるなどして、商品棚に陳列された商品を目立たせて、消費者の購買意欲を高めるために用いることができる。
【符号の説明】
【００２６】
１…段ボール箱、２…中芯、３…表ライナー、４…裏ライナー、５…側板、６…天フラップ、７…破断予定線、８…非接着部。
【図１】
2014030992.tif 000003
【図２】
2014030992.tif 000004